(57)【要約】  【課題】  動画撮像用にも、静止画撮像用にも適した撮像装置を提供する。  【解決手段】  撮像用レンズ２と、この撮像用レンズ２からの出射光の光路を第１の光路と第２の光路とに切り換える可動反射鏡５と、第１の光路上に配置された動画用撮像素子３と、第２の光路上に配置された静止画用撮像素子４とを備え、撮像用レンズ２からの出射光を可動反射鏡５により動画用撮像素子３又は静止画用撮像素子４のいずれかに受光させる。動画用撮像素子３と静止画用撮像素子４とはそれぞれ動画撮像用，静止画撮像用の専用のものを使用できるので、動画撮像用にも、静止画撮像用にも最適な撮像装置が実現される。【選択図】      図１
2006005588.tif 000002
【特許請求の範囲】
【請求項１】
撮像用レンズと、
該撮像用レンズからの出射光の光路を第１又は第２の光路に切り換える光学手段と、
前記第１の光路上及び前記第２の光路上それぞれに配置された二つの撮像手段と
を備えたことを特徴とする撮像装置。
【請求項２】
前記二つの撮像手段の一方が動画撮像用であり、他方が静止画撮像用であることを特徴とする請求項１に記載の撮像装置。
【請求項３】
撮像手段による撮像条件を設定するための撮像情報を出力する撮像条件設定手段と、
該撮像条件設定手段から出力された撮像情報に従って前記二つの撮像手段それぞれによる撮像結果を処理する処理手段と
を更に備え、
該撮像条件設定手段は、前記光学手段による前記光路の切換に応じて前記撮像用レンズからの出射光を受光している側の撮像手段の処理手段へ撮像情報を切換出力するようにしてあることを特徴とする請求項１又は２に記載の撮像装置。
【請求項４】
前記撮像条件設定手段は、前記二つの撮像手段の一方から他方へ撮像情報の出力を切り換える際に、一方の撮像手段へ出力していた撮像情報を、前記二つの撮像手段の特性の差に対応させて変換するように構成されていることを特徴とする請求項３に記載の撮像装置。
【請求項５】
前記撮像用レンズはズーム機能を有しており、
前記光学手段による光路の切換に応じて、前記二つの撮像手段それぞれのサイズ及び前記撮像用レンズからの光路長に応じて予め定められている比率で前記撮像用レンズのズーム比を変更制御するズーム機能制御手段を更に備えたことを特徴とする請求項１乃至４のいずれかひとつに記載の撮像装置。
【請求項６】
前記撮像用レンズはオートフォーカス機能を有しており、
前記光学手段による光路の切換に応じて、前記二つの撮像手段それぞれの前記撮像用レンズからの光路長に応じて予め定められている比率で前記撮像用レンズのオートフォーカス機能による合焦位置を変更制御する合焦制御手段を更に備えたことを特徴とする請求項１乃至５のいずれかひとつに記載の撮像装置。
【発明の詳細な説明】
【技術分野】
【０００１】
本発明は撮像装置に関し、より詳細には、動画の撮像と静止画の撮像が可能なデジタル方式の撮像装置に関する。
【背景技術】
【０００２】
近年のデジタル画像処理技術の進歩に伴なって、従来は静止画のみの撮像が可能であったデジタルスチルカメラにおいても比較的短時間ではあるが動画の撮像が可能になっており（特許文献１参照）、また逆に本来動画の撮像を行なうためのデジタルビデオカメラでスチル写真を撮像することも可能になっている（特許文献２参照）。
【特許文献１】特開２００４−１２０３６４号公報
【特許文献２】特開２００４−９６７８４号公報
【発明の開示】
【発明が解決しようとする課題】
【０００３】
しかし従来は、動画の撮像が可能なデジタルスチルカメラにおいても、静止画の撮像が可能なデジタルビデオカメラにおいても、基本的には同一の撮像手段（ＣＣＤ）を使用して静止画も動画も撮像するように構成されているため、それぞれのＣＣＤの特性には不向きな状態で使用されていた。即ち、デジタルスチルカメラで動画を撮像する場合と、逆にデジタルビデオカメラで静止画を撮像する場合とではそれぞれにおいて本来のＣＣＤの特性、たとえば信号の読み出し速度、処理方法等が異なることに起因して、満足な撮像結果を得ることができない可能性があった。
【０００４】
具体的には、静止画用には比較的大画素数（従ってサイズが比較的大きい）で信号の読み出し速度及び処理速度が比較的低速度のＣＣＤが一般的に使用され、逆に動画用には比較的小画素数（従ってサイズが比較的小さい）で信号の読み出し速度及び処理速度が比較的高速のＣＣＤが一般的に使用されている。従って、従来のデジタルスチルカメラで動画を撮像する場合には動画を構成する各フレームの処理が遅延していわゆるコマ落ちが発生する場合があった。このため、デジタルスチルカメラで動画を撮像する場合には単位時間当りのフレーム数を本来の動画用のフレーム数よりも少なくしている場合があり、このような場合には動画の動きが不自然にならざるを得ない。また逆に従来のデジタルビデオカメラで静止画を撮像する場合にはＣＣＤの画素数が比較的少ないためにデジタルスチルカメラで撮像した静止画に比して高画質の静止画を撮像することができないという問題があった。
【０００５】
本発明は以上のような事情に鑑みてなされたものであり、動画の撮像用及び静止画の撮像用の双方に適した撮像装置を提案することにより、上述のような従来の問題点を解消することを主たる目的とする。
【０００６】
具体的には、本発明は二つの撮像手段を選択的に使用することを可能にして、それぞれを異なる用途に使用することができる撮像装置の提供を目的とする。
【０００７】
また本発明はそれぞれ専用の特性を有する動画撮像用の撮像手段と静止画撮像用の撮像手段とを選択的に使用することが可能な撮像装置の提供を目的とする。
【０００８】
また本発明は動画撮像用の撮像手段と静止画撮像用の撮像手段とのいずれを使用するかを切り換える際に、選択された側の撮像手段に自動的に撮像情報が設定される撮像装置の提供を目的とする。
【０００９】
更に本発明は動画撮像用の撮像手段と静止画撮像用の撮像手段とを切り換える際に、両撮像手段の特性が異なっていたとしても、その都度撮像情報を設定し直す必要がない撮像装置の提供を目的とする。
【００１０】
また更に本発明は動画撮像用の撮像手段と静止画撮像用の撮像手段とを切り換えた際にも、切換の前後で画角が変化しないように撮像用レンズのズーム比が自動的に変更される撮像装置の提供を目的とする。
【００１１】
更にまた本発明は動画撮像用の撮像手段と静止画撮像用の撮像手段とを切り換えた際にも、切換の前後でピントが狂うことがない撮像装置の提供を目的とする。
【課題を解決するための手段】
【００１２】
本発明に係る撮像装置は、撮像用レンズと、該撮像用レンズからの出射光の光路を第１又は第２の光路に切り換える光学手段と、前記第１の光路上及び前記第２の光路上それぞれに配置された二つの撮像手段とを備えたことを特徴とする。
【００１３】
このような本発明に係る撮像装置では、二つの撮像手段のいずれか一方を選択的に使用することが可能になる。
【００１４】
また本発明に係る撮像装置は上述の発明において、前記二つの撮像手段の一方が動画撮像用であり、他方が静止画撮像用であることを特徴とする。
【００１５】
このような本発明に係る撮像装置では、動画撮像用の撮像手段と静止画撮像用の撮像手段とのいずれか一方を選択的に使用することが可能になる。
【００１６】
更に本発明に係る撮像装置は上述の各発明において、撮像手段による撮像条件を設定するための撮像情報を出力する撮像条件設定手段と、該撮像条件設定手段から出力された撮像情報に従って前記二つの撮像手段それぞれによる撮像結果を処理する処理手段とを更に備え、該撮像条件設定手段は、前記光学手段による前記光路の切換に応じて前記撮像用レンズからの出射光を受光している側の撮像手段の処理手段へ撮像情報を切換出力するようにしてあることを特徴とする。
【００１７】
このような本発明に係る撮像装置では、動画撮像用の撮像手段と静止画撮像用の撮像手段とを切り換える際に、それまで使用していた方の撮像手段に設定されていた撮像情報がそれ以降に使用される撮像手段に自動的に設定される。
【００１８】
また更に本発明に係る撮像装置は上述の発明において、前記撮像条件設定手段は、前記二つの撮像手段の一方から他方へ撮像情報の出力を切り換える際に、一方の撮像手段へ出力していた撮像情報を、前記二つの撮像手段の特性の差に対応させて変換するように構成されていることを特徴とする。
【００１９】
このような本発明に係る撮像装置では、動画撮像用の撮像手段と静止画撮像用の撮像手段とを切り換える際に、それまで使用していた方の撮像手段の特性に合わせて設定されていた撮像情報がそれ以降に使用される撮像手段の特性との差に対応して変換され、自動的に設定される。
【００２０】
更に本発明に係る撮像装置は上述の各発明において、前記撮像用レンズはズーム機能を有しており、前記光学手段による光路の切換に応じて、前記二つの撮像手段それぞれのサイズ及び前記撮像用レンズからの光路長に応じて予め定められている比率で前記撮像用レンズのズーム比を変更制御するズーム機能制御手段を更に備えたことを特徴とする。
【００２１】
このような本発明に係る撮像装置では、使用する動画撮像用の撮像手段と静止画撮像用の撮像手段とを一方から他方へ切り換えた場合にも、切換の前後で画角が変化しないように、撮像用レンズのズーム比が自動的に変更される。
【００２２】
また本発明に係る撮像装置は上述の各発明において、前記撮像用レンズはオートフォーカス機能を有しており、前記光学手段による光路の切換に応じて、前記二つの撮像手段それぞれの前記撮像用レンズからの光路長に応じて予め定められている比率で前記撮像用レンズのオートフォーカス機能による合焦位置を変更制御する合焦制御手段を更に備えたことを特徴とする。
【００２３】
このような本発明に係る撮像装置では、使用する動画撮像用の撮像手段と静止画撮像用の撮像手段とを一方から他方へ切り換えた場合にも、切換の前後でピントがずれないように、撮像用レンズの合焦位置が自動的に変更される。
【発明の効果】
【００２４】
上述のような本発明に係る撮像装置によれば、二つの撮像手段のいずれか一方を選択的に使用することが可能になるので、それぞれを異なる用途に使用することができる。
【００２５】
また本発明に係る撮像装置によれば、それぞれ専用の特性を有する動画撮像用の撮像手段と静止画撮像用の撮像手段とのいずれか一方を選択的に使用することが可能になる。
【００２６】
また本発明に係る撮像装置によれば、動画撮像用の撮像手段と静止画撮像用の撮像手段とを切り換える際に、その都度撮像情報を設定し直す必要がない。
【００２７】
更に本発明に係る撮像装置によれば、動画撮像用の撮像手段と静止画撮像用の撮像手段とを切り換える際に、両撮像手段の特性が異なっていたとしても、その都度撮像情報を設定し直す必要がない。
【００２８】
また更に本発明に係る撮像装置によれば、動画撮像用の撮像手段と静止画撮像用の撮像手段とを切り換えた際にも、撮像用レンズのズーム比をユーザが変更する必要がない。
【００２９】
更にまた本発明に係る撮像装置によれば、動画撮像用の撮像手段と静止画撮像用の撮像手段とを切り換えた際にも、自動的にピントが合う。
【発明を実施するための最良の形態】
【００３０】
以下、本発明をその実施の形態を示す図面を参照して説明する。図１は本発明に係る撮像装置の基本的な構成例を示す模式的側断面図である。
【００３１】
本発明の撮像装置は、筐体１の一側面（以下、前面という）に一群のレンズからなる撮像用レンズ２を備えている。また筐体１の内部には、撮像用レンズ２からの出射光の光路を２方向に切り換えるための光学手段としての可動反射鏡５が備えられている。具体的には、可動反射鏡５は、撮像用レンズ２からの出射光の光路に干渉しない第１の位置（図１に実線にて示す位置）と、９０度下方（筐体１の底面側）へ反射させる第２の位置（図１に破線にて示す位置）とに切り換えられるように、軸方向が撮像用レンズ２の光軸と直交する回転軸５０により枢支されている。
【００３２】
可動反射鏡５が第１の位置にあって撮像用レンズ２からの出射光の光路が可動反射鏡５に干渉されない場合の撮像用レンズ２からの出射光の光路上には動画用撮像素子３が備えられている。具体的には、動画用撮像素子３は本実施の形態では筐体１の外部から入射して撮像用レンズ２から出射した光線がそのまま直進した位置、即ち筐体１の撮像用レンズ２と対向する側面（以下、背面という）の内側に配置されている。なお、撮像用レンズ２の光軸と動画用撮像素子３の受光面とが直交し、且つ撮像用レンズ２の光軸が動画用撮像素子３の受光面の中心を通過するように、両者の位置関係が設定されていることは言うまでもない。
【００３３】
一方、可動反射鏡５が第２の位置にあって撮像用レンズ２からの出射光の光路が９０度下方へ反射された場合の撮像用レンズ２からの出射光の光路上には静止画用撮像素子４が備えられている。具体的には、静止画用撮像素子４は本実施の形態では筐体１の底面の内側に配置されている。なお、撮像用レンズ２の可動反射鏡５で反射された光軸と静止画用撮像素子４の受光面とが直交し、且つ撮像用レンズ２の可動反射鏡５で反射された光軸が静止画用撮像素子４の受光面の中心を通過するように、両者の位置関係が設定されていることは言うまでもない。
【００３４】
従って、可動反射鏡５が図１に実線にて示す第１の位置、具体的には可動反射鏡５が撮像用レンズ２からの出射光の光路を変えない位置にある場合は撮像用レンズ２からの出射光はそのまま直進して動画用撮像素子３に受光される。一方、可動反射鏡５が破線にて示す第２の位置、具体的には可動反射鏡５の反射面が撮像用レンズ２と動画用撮像素子３とを結ぶ光軸と４５度で交差する位置にある場合は撮像用レンズ２からの出射光は静止画用撮像素子４に受光される。
【００３５】
図２は本発明に係る撮像装置の他の構成例を示す模式的側断面図である。この例では、可動反射鏡５が破線にて示す第２の位置にある場合に、可動反射鏡５が筐体１の底面側へ反射した撮像用レンズ２からの出射光の光路を筐体１の背面側へ再度９０度反射する固定反射鏡６が備えられている。従って、この図２に示す構成例では、静止画用撮像素子４は動画用撮像素子３と同様に、筐体１の背面側の側壁の内側に固定されている。なおこの場合、撮像用レンズ２から静止画用撮像素子４までの光路長を撮像用レンズ２から動画用撮像素子３までのそれと同一にするためには、適宜の厚さの取り付け台４０を介して静止画用撮像素子４を筐体１の内面に取り付ける必要がある。但し、後述するように、必ずしも、撮像用レンズ２と両動画用撮像素子３，静止画用撮像素子４との間の光路長を同一にする必要はない。
【００３６】
なお、撮像用レンズ２はズーム機能及びオートフォーカス機能を有しており、ズーム用レンズ２１及び合焦用レンズ２２を含んでいる。ズーム用レンズ２１が撮像用レンズ２の光軸に平行に移動することにより撮像用レンズ２のズーミングが可能であり、また合焦用レンズ２２が撮像用レンズ２の光軸に平行に移動することによりピント調整が可能である。
【００３７】
図３は本発明に係る撮像装置の制御回路の構成例を示すブロック図である。本発明の撮像装置は、ＣＰＵを使用した制御部１０が操作部１６から入力されるユーザの操作入力に従って全体を制御する。ＲＯＭ１１には制御部１０による制御に必要なプログラム及び種々のデータ等が予め格納されており、プログラム実行中に発生する一時的記憶が必要なデータ等がＲＡＭ１２に記憶される。
【００３８】
動画用の撮像手段である動画用ＣＣＤ３１は動画用処理回路３２と共に動画用撮像素子３を構成し、静止画用の撮像手段である静止画用ＣＣＤ４１は静止画処理回路４２と共に静止画用撮像素子４を構成する。動画用ＣＣＤ３１により光電変換された信号は動画用処理回路３２で処理されてデジタル動画信号として記録部１５により図示しない記録媒体に記録される。また、静止画用ＣＣＤ４１により光電変換された信号は静止画用処理回路４２で処理されてデジタル静止画信号として記録部１５により図示しない記録媒体に記録される。なお、両処理回路３２，４２には、制御部１０の制御によりホワイトバランス，シャッタスピード，撮像感度（ＩＳＯ相当），画質（撮像画素数）等の撮像情報が与えられて設定される。なお、上述した動画用の信号処理及び静止画用の信号処理そのものは公知である。
【００３９】
記録部１５はたとえばデジタルビデオカセット、ＤＶＤ等の一般的にデジタルビデオカメラに使用されているような記録媒体を使用してもよいし、コンパクトフラッシュ（登録商標）等の比較的大容量の一般的にはデジタルスチルカメラに使用されているような記録媒体を使用してもよい。
【００４０】
反射鏡駆動回路５１は可動反射鏡５の回転軸５０を回転駆動するか、または可動反射鏡５そのものを移動させることにより、可動反射鏡５を前述した第１又は第２の位置のいずれか一方に位置させる。なお、可動反射鏡５を二つの位置それぞれに確実に保持できるような固定機構を採用すれば、反射鏡駆動回路５１そのものは単に可動反射鏡５の回転軸５０又は可動反射鏡５を２方向に回転させるのみの単純な構成でよい。
【００４１】
ズーム回路１４はユーザが操作部１６を操作することにより撮像用レンズ２のズーム用レンズ２１を撮像用レンズ２の光軸に平行に移動させてズーミングを行なう回路であり、その構成そのものは公知である。但し、本発明に係る撮像装置ではズーム回路１４は更に、動画用撮像素子３のＣＣＤ３１と静止画用撮像素子４のＣＣＤ４１とが異なる画素数、換言すれば異なるサイズである場合、又は撮像用レンズ２と両ＣＣＤ３１，４１との間の光路長が異なる場合に、両者のサイズの比率、又は光路の比率に応じて自動的に撮像用レンズ２のズーム比を変更することにより画角を変更し、それぞれのＣＣＤ３１，４１での撮像結果の画像の見かけ上の大きさを一致させることができる。なお、両ＣＣＤ３１，４１のサイズが異なり、且つ撮像用レンズ２との間の光路長も異なる場合には両者を勘案してズーム比を決定すればよい。いずれにしても、それらの値は既知であるので、ズーム比の変換比率も既知であり、ＲＯＭ１１に予め記憶させておけばよい。
【００４２】
また、オートフォーカス回路１３は、撮像用レンズ２の合焦用レンズ２２を図示しない合焦検出回路の検出結果に従って撮像用レンズ２の光軸に平行に移動させることによるオートフォーカス機能を制御する回路であり、その基本的な構成は公知である。但し、本発明に係る撮像装置ではオートフォーカス回路１３は更に、撮像用レンズ２と両ＣＣＤ３１，４１との間の光路長が異なる場合、及び上述したズーム比の変換に伴って両ＣＣＤ３１，４１に対する合焦位置が変化する場合等に撮像用レンズ２の合焦位置を変更する制御を行なう。
【００４３】
図４及び図５は上述のような機械的構成及び制御回路を有する本発明に係る撮像装置の動作時の制御部１０による制御手順を示すフローチャートである。
【００４４】
まず、たとえば本発明に係る撮像装置の電源が投入されたような場合に、制御部１０は動画モードが選択されているか（ステップＳ１０でＹＥＳ）、静止画モードが選択されているか（ステップＳ１０でＮＯ）、のいずれであるかを判断する。以下、動画モードが設定されているとして説明する。
【００４５】
動画モードが設定されている場合（ステップＳ１０でＹＥＳ）、制御部１０は動画用ＣＣＤ３１及び動画用処理回路３２を有効にする（電源供給する）（ステップＳ１１）。次に制御部１０は、反射鏡駆動回路５１を制御して可動反射鏡５を第１の位置にして、撮像用レンズ２からの出射光が動画用撮像素子３へ入射するようにし（ステップＳ１２）、更に自動又はマニュアルでユーザが操作部１６を操作して設定している撮像情報を動画撮像用の撮像情報として動画用処理回路３２に設定する（ステップＳ１３）。なお、静止画モードから動画モードに切り換えられた場合には、このステップＳ１３では制御部１０は後述するステップＳ３８の変換結果として設定されている撮像情報を利用する。
【００４６】
次に制御部１０は撮像用レンズ２のズーム比及び合焦位置をデフォルトの位置又は後述するステップＳ３８の処理が既に実行されている場合はその変換結果として得られた値に対応する位置にズーム回路１４及びオートフォーカス回路１３を制御して変更する（ステップＳ１４）。
【００４７】
以上により動画を撮像する準備ができたので、制御部１０は操作部１６に設けられている撮像スイッチがオンされるまで待機するが（ステップＳ１６でＮＯ）、その前にユーザが操作部１６を操作して静止画モードに変更したか否かも判断している（ステップＳ１５）。ユーザが静止画モードに変更せずに（ステップＳ１５でＮＯ）、撮像スイッチをオンすると（ステップＳ１６でＹＥＳ）、制御部１０は動画の撮像を開始する（ステップＳ１７）。この後、ユーザが撮像スイッチをオフするまで（ステップＳ１８でＮＯ）、制御部１０は動画の撮像を継続する（ステップＳ２０）。なお、動画の撮像中にユーザが撮像スイッチをオフした場合（ステップＳ１８でＹＥＳ）、制御部１０は動画の撮像を停止し（ステップＳ１９）、ステップＳ１５へ処理を戻す。
【００４８】
従って、動画モードにおいて動画の撮像が停止されている間にユーザが操作部１６を操作して静止画モードへの変更を行なうと（ステップＳ１５でＹＥＳ）、制御部１０は静止画モードに移行するための準備処理であるステップＳ２１のサブルーチンへ処理を移す。
【００４９】
ステップＳ２１のサブルーチンでは、制御部１０は動画モードから静止画モードへの変更に対応して、動画用処理回路３２に設定していた動画用撮像情報を静止画用に変換すると共に、撮像用レンズ２のズーム比及び合焦位置を変換する処理も行なう。図６はステップＳ２１における制御部１０による動画用撮像情報を静止画用に変換する処理の手順を示すサブルーチンのフローチャートである。
【００５０】
制御部１０は、まず動画用処理回路３２にそれまで設定していた動画用ＣＣＤ３１用のホワイトバランスを静止画用ＣＣＤ４１用のホワイトバランスに変換する（ステップＳ４１）。この際の変換率は、両ＣＣＤ３１，４１の特性に応じて予め判明しており、ＲＯＭ１１にデータとして記憶されている。また制御部１０はシャッタスピードを動画用の値から静止画用の値に変更する（ステップＳ４２）。これは、動画を撮像する場合のシャッタスピードは固定、または比較的低速に限定されているのに対して静止画を撮像する場合のシャッタスピードはバルブ（開放）から1/1000、あるいはそれ以上の値が自動でもマニュアルでも設定可能であるので、静止画用として予め自動又はマニュアルで設定されている値に変更する必要があるためである。
【００５１】
更に制御部１０は撮像用レンズ２のズーム比を静止画用に変換する（ステップＳ４３）。即ち、それまでは動画用ＣＣＤ３１を使用して動画を撮像するためにユーザが設定していたズーム比を画素数（サイズ）が異なる静止画用ＣＣＤ４１にそのまま適用した場合には、撮像される画像の大きさ（画角）が異なってしまうため、撮像用レンズ２による動画用ＣＣＤ３１に対する画角と静止画用ＣＣＤ４１に対する画角とが一致するように、両ＣＣＤ３１，４１のサイズの比率に合わせて撮像用レンズ２のズーム比を変換する。なお、同様の問題は両ＣＣＤ３１，４１と撮像用レンズ２との間の光路長によっても生じる。換言すれば、両ＣＣＤ３１，４１と撮像用レンズ２との間の光路長を適宜に設定すれば、両ＣＣＤ３１，４１のサイズが異なっていたとしても、ズーム比の変換は行なわずに済む場合もあり得る。但しこの場合には、合焦位置、即ちピントが合う位置が異なるので、後述する合焦位置の変換を行なう必要がある。いずれにしろ、ズーム比の変換比率は既知であるので、ＲＯＭ１１に記憶させておけばよい。
【００５２】
また、制御部１０は撮像用レンズ２の合焦位置を静止画用に変換する（ステップＳ４４）。それまで合焦位置が動画用ＣＣＤ３１の位置に合わされていた場合には、撮像用レンズ２からの光路長が動画用ＣＣＤ３１とは異なる静止画用ＣＣＤ４１の位置にはそのままでは合焦しないので、また上述したように撮像用レンズ２のズーム比が変換された場合にも合焦位置がずれるので、撮像用レンズ２と両ＣＣＤ３１，４１との間の光路長の比率に合わせて撮像用レンズ２の合焦位置を変換する。この場合の合焦位置の変換比率も既知であるので、ＲＯＭ１１に記憶させておけばよい。
【００５３】
更に制御部１０はそれまでの動画用に設定されていた画質（解像度）を静止画用の画質（解像度）に変更する（ステップＳ４５）。なお、画質（解像度）に関しては通常はユーザがマニュアルで予め設定しているのでその値に変更される。但し、ユーザが画質の設定を行なっていない場合にはデフォルト値に設定される。
【００５４】
以上のようにして、制御部１０はそれまで動画撮像用に設定されていた種々の撮像情報を静止画撮像用に変換してＲＡＭ１２に一時記憶する。そして、この後に制御部１０は動画モードから静止画モードへ移行する。
【００５５】
静止画モードへ移行すると、まず制御部１０は静止画用ＣＣＤ４１及び静止画用処理回路４２を有効にし（電源供給する）（ステップＳ３１）、反射鏡駆動回路５１を制御して可動反射鏡５を第２の位置にして、撮像用レンズ２からの出射光が静止画用撮像素子４へ入射するようにし（ステップＳ３２）、更にステップＳ２１で動画用から静止画用に変換された撮像情報を静止画用処理回路４２に設定し（ステップＳ３３）、また撮像用レンズ２のズーム比及び合焦位置をデフォルトの位置又は後述するステップＳ２１の処理が既に実行されている場合はその変換結果として得られた値に対応する位置にズーム回路１４及びオートフォーカス回路１３を制御して変更する（ステップＳ３４）。これにより、ホワイトバランス，シャッタスピード，ズーム比，合焦位置，画質等が静止画用に設定され、設定された撮像条件に従って静止画の撮像が可能になる。なお、電源投入時に静止画モードが設定されていた場合には（ステップＳ１０でＮＯ）、制御部１０はステップＳ３３では自動又はマニュアルでユーザが操作部１６を操作して設定している静止画撮像用の撮像情報を静止画用処理回路４２に設定する。
【００５６】
以上によりそれまでの動画に代えて静止画を撮像する準備ができたので、制御部１０は操作部１６に設けられている撮像スイッチがオンされるまで待機するが（ステップＳ３６でＮＯ）、その前にユーザが操作部１６を操作して動画モードに変更したか否かも判断している（ステップＳ３５）。ユーザが動画モードに変更せずに（ステップＳ３５でＮＯ）、撮像スイッチをオンすると（ステップＳ３６でＹＥＳ）、制御部１０は静止画を一コマ撮像し（ステップＳ３７）、ステップＳ３５へ処理を戻す。従って、ユーザが動画モードへの変更を行なわずに撮像スイッチをオンする都度、制御部１０は静止画の撮像を一コマずつ反復する。なお、静止画モードである状態においてユーザが操作部１６を操作して動画モードに変更した場合（ステップＳ３５でＹＥＳ）、制御部１０は動画モードに移行するための準備処理であるステップＳ３８のサブルーチンへ処理を移す。
【００５７】
ステップＳ３８のサブルーチンでは、制御部１０は静止画モードから動画モードへの変更に対応して、静止画用処理回路４２に設定していた静止画用撮像情報を動画用に変換すると共に、撮像用レンズ２のズーム比及び合焦位置を変換する処理も行なう。図７はステップＳ３８における制御部１０による静止画用撮像情報を動画用に変換する処理の手順を示すサブルーチンのフローチャートである。
【００５８】
制御部１０は、まず静止画用処理回路４２にそれまで設定していた静止画用ＣＣＤ４１用のホワイトバランスを動画用ＣＣＤ３１用のホワイトバランスに変換する（ステップＳ５１）。この際の変換率は、ステップＳ４１での変換率の逆数になる。また制御部１０はシャッタスピードを静止画用の値から動画用の値に変更する（ステップＳ５２）。その理由は前述した通りである。
【００５９】
更に制御部１０は撮像用レンズ２のズーム比を動画用に変換する（ステップＳ５３）。この理由も前述した通りであり、その際の変換率はステップＳ４３での変換率の逆数になる。また、制御部１０は撮像用レンズ２の合焦位置を動画用に変換する（ステップＳ５４）。この理由も前述した通りであり、その際の変換率はステップＳ４３での変換率の逆数になる。更に制御部１０はそれまでの静止画用に設定されていた画質（解像度）を動画用の画質（解像度）に変更する（ステップＳ５５）。なお、画質（解像度）に関しては通常はユーザがマニュアルで予め設定しているので、その値に変更される。
【００６０】
以上のようにして、制御部１０はそれまで静止画撮像用に設定されていた種々の撮像情報を動画撮像用に変換してＲＡＭ１２に一時記憶する。この後、制御部１０はステップＳ１１へ処理を移して前述同様に動画モードになる。
【００６１】
なお、上述の説明においては本発明に係る撮像装置の電源が投入されたような場合にユーザが動画モードを選択していた場合について説明したが、静止画モードが選択されていた場合についても、ステップＳ１０からＳ１１ではなくＳ３１へ処理が進められる以外は基本的には上述同様の処理が行なわれる。
【００６２】
以上に詳述したように本発明に係る撮像装置によれば、二つの撮像手段のいずれか一方を選択的に使用することが可能になるので、それぞれを異なる用途に使用することができる。また本発明に係る撮像装置によれば、それぞれ専用の特性を有する動画撮像用の撮像手段と静止画撮像用の撮像手段とのいずれか一方を選択的に使用することが可能になる。また本発明に係る撮像装置によれば、動画撮像用の撮像手段と静止画撮像用の撮像手段とを切り換える際に、その都度撮像情報を設定し直す必要がなくなる。
【００６３】
更に本発明に係る撮像装置によれば、動画撮像用の撮像手段と静止画撮像用の撮像手段とを切り換える際に、両撮像手段の特性が異なっていたとしても、その都度撮像情報を設定し直す必要がなくなる。また更に本発明に係る撮像装置によれば、動画撮像用の撮像手段と静止画撮像用の撮像手段とを切り換えた際にも、撮像用レンズのズーム比をユーザが変更する必要がなくなる。更にまた本発明に係る撮像装置によれば、動画撮像用の撮像手段と静止画撮像用の撮像手段とを切り換えた際にも、自動的にピントが合う。
【００６４】
なお、上述の実施の形態では、動画用撮像素子３は撮像用レンズ２からの出射光を直接受光するように、静止画用撮像素子４は可動反射鏡５により反射された撮像用レンズ２からの出射光をそれぞれ受光するように構成したが、逆であってもよいし、また両撮像素子３，４共に反射鏡又は他の何らかの光学手段によって光路が切り換えられる撮像用レンズ２からの出射光を受光するような構成であってもよい。
【００６５】
また上述の実施の形態では可動反射鏡５を使用して撮像用レンズ２からの出射光の光路を切り換える構成としているが、たとえばプリズム，ハーフミラー等を使用してもよいことは言うまでもない。
【図面の簡単な説明】
【００６６】
【図１】本発明に係る撮像装置の基本的な構成例を示す模式的側断面図である。
【図２】本発明に係る撮像装置の他の構成例を示す模式的側断面図である。
【図３】本発明に係る撮像装置の制御回路の構成例を示すブロック図である。
【図４】本発明に係る撮像装置の動作時の制御部による制御手順を示すフローチャートである。
【図５】本発明に係る撮像装置の動作時の制御部による制御手順を示すフローチャートである。
【図６】制御部による動画用撮像情報を静止画用に変換する処理の手順を示すサブルーチンのフローチャートである。
【図７】制御部による静止画用撮像情報を動画用に変換する処理の手順を示すサブルーチンのフローチャートである。
【符号の説明】
【００６７】
２  撮像用レンズ
３  動画用撮像素子
４  静止画用撮像素子
５  可動反射鏡
１０  制御部
１３  オートフォーカス回路
１４  ズーム回路
３１  動画用ＣＣＤ
３２  動画用処理回路
４１  静止画用ＣＣＤ
４２  静止画用処理回路
５１  反射鏡駆動回路
【図１】
2006005588.tif 000003
【図２】
2006005588.tif 000004
【図３】
2006005588.tif 000005
【図４】
2006005588.tif 000006
【図５】
2006005588.tif 000007
【図６】
2006005588.tif 000008
【図７】
2006005588.tif 000009